(57)【要約】【課題】釣合おもりに含まれる加減おもりを利用したエレベータの負荷試験方法であって、加減おもりの移送の手間をより少なくすることにより、より手間の掛からない効率の良いエレベータの負荷試験方法を提供する。【解決手段】エレベータの負荷試験において、釣合おもり４中の加減おもり５を順次かご上面２ａａ上に移送し、またかご上面上に移送された加減おもりを順次釣合おもり側に戻してかごの荷重負荷を変えながらエレベータの機能試験を行うエレベータの負荷試験方法である。【選択図】図１
2006306580.tif 000002
【特許請求の範囲】
【請求項１】
エレベータの負荷試験において、釣合おもり中の加減おもりを順次かご上面上に移送し、またかご上面上に移送された加減おもりを順次釣合おもり側に戻してかごの荷重負荷を変えながらエレベータの機能試験を行うことを特徴とするエレベータの負荷試験方法。
【請求項２】
上記かごと釣合おもりを昇降路内でほぼ同じ高さになるように並列させた状態で停止させて上記加減おもりの移送を行うことを特徴とする請求項１に記載のエレベータの負荷試験方法。
【請求項３】
釣合おもり中の加減おもりをかご上面上に移送しまたかご上面上に移送された加減おもりを釣合おもり側に戻してかごの荷重負荷を変えながらエレベータの機能試験を行うために、かご上面上に、加減おもりを搭載保持する保持台と作業者の安全を確保するための安全柵からなる加減おもり搭載装置を備えたことを特徴とするエレベータ。
【発明の詳細な説明】
【技術分野】
【０００１】
この発明は、エレベータのかごに乗客が乗っている状態を想定して、かごにおもりを載せかごの荷重負荷を変えてエレベータの機能試験等を行うエレベータの負荷試験方法およびこれに適したエレベータに関するものである。
【背景技術】
【０００２】
従来、エレベータの負荷試験を実施しようとすると、その都度、試験用おもりをかごに対して搬入、搬出しなければならず、手間と時間を要した。そこでこの手間と時間を軽減するために、釣合おもりに含まれる加減おもりを試験用おもりとして利用したエレベータの負荷試験方法があった。
【０００３】
この負荷試験方法では、例えば、釣合おもりに含まれる加減おもりを一度、乗り場に移送し、次にこの加減おもりをかご内に順次積載してかご荷重と釣合おもりのバランス調整を行った後、残りの加減おもりを順次かご内に積載してエレベータの負荷増加試験を行い、次にかご内の積載された加減おもりを順次釣合おもり中に戻し、エレベータの負荷減少試験を行うものである(例えば特許文献１参照)。
【０００４】
【特許文献１】特開平１−３２１２７８号公報
【発明の開示】
【発明が解決しようとする課題】
【０００５】
しかしながら上記従来の方法では、取り外した加減おもりを一旦、乗場へ移送し、その後、改めてかご内へ積載するという作業があり、取り外した加減おもりが２回に渡って移送されるという煩わしさがあった。
【０００６】
この発明は、釣合おもりに含まれる加減おもりを利用したエレベータの負荷試験方法であって、加減おもりの移送の手間をより少なくすることにより、より手間の掛からない効率の良いエレベータの負荷試験方法およびこの負荷試験方法に適したエレベータを提供することを目的とする。
【課題を解決するための手段】
【０００７】
この発明は、エレベータの負荷試験において、釣合おもり中の加減おもりを順次かご上面上に移送し、またかご上面上に移送された加減おもりを順次釣合おもり側に戻してかごの荷重負荷を変えながらエレベータの機能試験を行うエレベータの負荷試験方法にある。
【発明の効果】
【０００８】
この発明では、加減おもりのかご内への搬入、搬出が不要なため、作業者の作業が軽減されると共に作業の効率化が図れる。
【発明を実施するための最良の形態】
【０００９】
実施の形態１．
図１はこの発明の一実施の形態によるエレベータの負荷試験方法が適用可能なエレベータの構成を示す概略断面図である。エレベータにおいては、例えば据付後に行う竣工検査において、かごの荷重負荷を増減させて機能の検査する負荷試験が行われる。図１において、かご２はかごガイドレール３にガイドされながら昇降路１を上下に移動し、このかご２には、釣合おもりガイドレール６にガイドされて昇降路１を上下に移動する釣合おもり４がロープ７により結合されている。そしてロープ７が巻上機８に駆動されることで、かご２と釣合おもり４が互いに上下反対の方向に移動する。釣合おもり４には負荷試験に使用される加減おもり５が設けられている。そしてかご上面２ａａ上には、釣合おもり４から取外した加減おもり５を搭載する加減おもり搭載装置２０が設けられている。
【００１０】
図２および図３にはかご上面２ａａ上に設けられた加減おもり搭載装置２０の一例の斜視図および昇降路１上方側から見た上面図を示す。保持台２１は取り外した加減おもり５をかご上面２ａａ上に搭載する部分、安全柵２２は作業者の安全を確保するための例えばかご枠２ａに固定設置された柵である。なお、安全柵２２の釣合おもり４に面した部分には、取外した加減おもり５を仮置きする受け板２３を設けてもよい。
【００１１】
また図４には釣合おもり４に設けられた加減おもり５の一例の斜視図を示す。加減おもり５は、釣合おもり４の枠に嵌合するようにして、複数が順に取外し可能に縦積みされて設けられてなる。
【００１２】
そしてこの発明のエレベータの負荷試験では、例えば竣工時のエレベータの荷重負荷を変えて機能を検査する負荷試験を例に挙げて説明すると、まず、かご２と釣合おもり４を昇降路１内でほぼ同じ高さになるように並列させた状態で停止させる。次にこの状態で作業者が、かご上面２ａａ上で、釣合おもり４に含まれる加減おもり５の一部を取り外しかご上面２ａａ上の保持台２１へ移送することで、加減おもり５をかご２側に順次積載あるいは戻すようにして、かご２の重さと釣合おもり４の重さのバランス調整を行う。
【００１３】
そしてバランス調整後、同様なやり方で残りの加減おもり５をかご上面２ａａ上の保持台２１に順次積載しながらかご２を運転させて、その時のモータで構成される巻上機８の電流等を順次測定するエレベータの負荷増加試験を行う。そして負荷増加試験が終了すると、今度はかご上面２ａａ上の保持台２１に積載された加減おもり５を順次、釣合おもり４側に戻しながら同様にかご２を運転させて、その時の巻上機８の電流等を順次測定するエレベータの負荷減少試験を行う。これらの試験の間、加減おもり５をかご２と釣合おもり４との間で移送する際には、かご２と釣合おもり４を昇降路１内でほぼ同じ高さになるように並列させた状態で停止させて、作業者が加減おもり５を移送させる。
【００１４】
なお、かご２側の安全柵２２に受け板２３を設けておけば、加減おもり５を受け板２３上に仮置きすることができる。
【００１５】
また図５に示すように、釣合おもり４に設けられる加減おもり５は、１個の重さを軽くするために、さらに小さく分割されているものであってもよい。図５に例示した水平方向に分割された各加減おもり５は、分割加減おもり５ａとして垂直方向にも分割され、各分割加減おもり５ａにはそれぞれ貫通切欠部５ｂが形成され、落下防止のために釣合おもり４の枠側に設けられた支持用貫通棒４ａが貫通切欠部５ｂを貫通するようにして設けられている。
【００１６】
また図５の安全柵２２では図２，３のものと異なり、受け板２３は設けられておらず、釣合おもり４に面した部分のバー(柵部材)２２ａが左右に分割可能で、加減おもり５の移送時には作業が容易なように図示のように分割され、移送時以外は安全のために破線で示す状態に例えば図６に示すようなスライド部材２２ｂにより左右のバー２２ａが結合される。
【００１７】
また、支持用貫通棒４ａおよび貫通切欠部５ｂの代わりに、図７に示すように１つの加減おもり５を構成する分割加減おもり５ａに、互いに嵌合する凹凸部からなる嵌合部５ｃを設けるようにしてもよい。また図示は省略するが、支持用貫通棒４ａおよび貫通切欠部５ｂと嵌合部５ｃを併用するようにしてもよい。また、図８に示すように、各分割加減おもり５ａにワイヤ固定部５ａａを形成し、落下防止用のワイヤ５０を取り付けるようにしてもよい。ワイヤ５０の他端は、釣合おもり４側の支持用貫通棒４ａやかご２側の安全柵２２にカラビナやあるいはこれと同様な構造を有する着脱可能なリング(図示省略)で固定すればよい。さらに安全柵２２は図９に示すように縦支柱のない横枠部材だけで構成される構造としてもよい。
【００１８】
また、上記説明ではかご負荷を増減させてその時の巻上機の電流を測定する試験について説明したが、この発明はこれに限定されるものでなく、かごの荷重負荷を変えて行ういずれの試験にも適用可能であり、同様な効果を奏する。
【図面の簡単な説明】
【００１９】
【図１】この発明の一実施の形態によるエレベータの負荷試験方法が適用可能なエレベータの構成を示す概略断面図である。
【図２】この発明におけるかご上面上に設けられた加減おもり搭載装置の一例の斜視図である。
【図３】この発明におけるかご上面上に設けられた加減おもり搭載装置の一例の昇降路上方側から見た上面図である。
【図４】この発明における釣合おもりに設けられた加減おもりの一例を示す斜視図である。
【図５】この発明におけるかご上面上に設けられた加減おもり搭載装置の別の例の斜視図である。
【図６】図５における柵部材バーの結合部の一例を示す斜視図である。
【図７】この発明における加減おもりの別の例を示す上面図である。
【図８】この発明における加減おもりのさらに別の例を示す斜視図である。
【図９】この発明における安全柵の別の例を示す斜視図である。
【符号の説明】
【００２０】
１  昇降路、２  かご、２ａ  かご枠、２ａａ  かご上面、３  かごガイドレール、４  釣合おもり、４ａ  支持用貫通棒、５  加減おもり、５ａ  分割加減おもり、５ａａ  ワイヤ固定部、５ｂ  貫通切欠部、５ｃ  嵌合部、６  釣合おもりガイドレール、７  ロープ、８  巻上機、２０  加減おもり搭載装置、２１  保持台、２２  安全柵、２２ａ  バー(柵部材)、２２ｂ  スライド部材、２３  受け板、５０  ワイヤ。
【図１】
2006306580.tif 000003
【図２】
2006306580.tif 000004
【図３】
2006306580.tif 000005
【図４】
2006306580.tif 000006
【図５】
2006306580.tif 000007
【図６】
2006306580.tif 000008
【図７】
2006306580.tif 000009
【図８】
2006306580.tif 000010
【図９】
2006306580.tif 000011